(57)【要約】【課題】シースルー型のＨＭＤにおいて、文書や図面等、線で形成された線画像を、外界の自然画像に影響されることなく、いつも鮮明に視認することが可能なＨＭＤを提供する。【解決手段】画像を表示するシースルー可能な表示手段と、画像が文書および図面、またはそのいずれかで形成された線画像であるか否かを判別する画像判別手段と、線画像の表示色を判別する色判別手段と、線画像の文字および線とその背景の明るさを反転させる白黒反転手段と、白黒反転手段の作動を制御する表示制御手段と、を有し、画像判別手段が画像を線画像と判別し、且つ色判別手段が背景の表示色を白色と判別した場合、表示制御手段は、背景の表示色を黒色に、且つ文字および線の表示色を白色に、それぞれの明るさを反転させるように前記白黒反転手段の作動を制御する。【選択図】図３
2008116704.tif 000002
【特許請求の範囲】
【請求項１】
頭部または顔面に取り付けられ、使用者が外界をシースルー可能な映像表示装置であって、
画像を表示するシースルー可能な表示手段と、
前記画像が文書および図面、またはそのいずれかで形成された線画像であるか否かを判別する画像判別手段と、
前記線画像の表示色を判別する色判別手段と、
前記線画像の文字および線とその背景の明るさを反転させる白黒反転手段と、
前記白黒反転手段の作動を制御する表示制御手段と、を有し、
前記画像判別手段が前記画像を線画像と判別し、且つ前記色判別手段が前記背景の表示色を白色と判別した場合、
前記表示制御手段は、前記背景の表示色を黒色に、且つ前記文字および前記線の表示色を白色に、それぞれの明るさを反転させるように前記白黒反転手段の作動を制御することを特徴とする映像表示装置。
【請求項２】
前記画像判別手段が前記画像を線画像と判別し、且つ前記色判別手段が前記背景の表示色を白色と判別した場合、
前記表示制御手段は、前記背景の表示色を黒色に、且つ表示色が黒色である文字および線のみその表示色を白色に、それぞれの明るさを反転させるように前記白黒反転手段の作動を制御することを特徴とする請求項１に記載の映像表示装置。
【請求項３】
前記線画像の階調補正を行う階調補正手段を有し、
前記画像判別手段が前記画像を線画像と判別し、且つ前記色判別手段が前記背景の表示色を白色と判別した場合、
前記階調補正手段は、前記線画像の階調を補正し、
前記表示制御手段は、前記階調補正手段で補正された線画像の文字および線とその背景の明るさを反転させるように前記白黒反転手段の作動を制御することを特徴とする請求項１または２に記載の映像表示装置。
【請求項４】
前記線画像の鮮鋭化を行う鮮鋭化手段を有し、
前記画像判別手段が前記画像を線画像と判別し、且つ前記色判別手段が前記背景の表示色を白色と判別した場合、
前記鮮鋭化手段は、前記線画像の鮮鋭化を行い、
前記表示制御手段は、前記鮮鋭化手段で鮮鋭化された線画像の文字および線とその背景の明るさを反転させるように前記白黒反転手段の作動を制御することを特徴とする請求項１乃至３のいずれか１項に記載の映像表示装置。
【請求項５】
前記線画像の線幅補正を行う線幅補正手段を有し、
前記画像判別手段が前記画像を線画像と判別し、且つ前記色判別手段が前記背景の表示色を白色と判別した場合、
前記線幅補正手段は、前記線画像の線幅を補正し、
前記表示制御手段は、前記線幅補正手段で補正された線画像の文字および線とその背景の明るさを反転させるように前記白黒反転手段の作動を制御することを特徴とする請求項１乃至４のいずれか１項に記載の映像表示装置。
【発明の詳細な説明】
【技術分野】
【０００１】
本発明は、映像表示装置に関し、特に頭部装着式映像表示装置に関する。
【背景技術】
【０００２】
従来、観察者の頭部や顔面に着脱自在に装着され、小型のＣＲＴや液晶表示素子等の映像表示素子から得られる映像（以下、画像とも称す。）を、接眼光学系によって観察者の眼球に直接投影させることで、恰も該映像が空中に拡大投影されているかの様な虚像の観察を可能にした頭部装着式映像表示装置、すなわちＨＭＤ（Ｈｅａｄ  Ｍｏｕｎｔ  Ｄｉｓｐｌａｙ）が知られている。
【０００３】
ＨＭＤは、ＤＶＤ、ビデオ等のコンテンツ映像の観賞用や、産業機器若しくは医療機器等の遠隔操作用としての表示装置として利用され、その用途は多岐に渡っている。
【０００４】
特に、産業機器の分野においては、機器の修理やメンテナンス作業を行う際に、サービスマニュアルの文書や図面等の情報を手を用いずに閲覧しながら作業を行うことができるＨＭＤが要望されている。この様な要望に応える為に、作業に必要な電子化された各種情報を、ＨＭＤの映像表示部を通して入射する外界光による自然画像に重ね合わせて表示する所謂シースルー型のＨＭＤが種々提案されている（例えば、特許文献１参照）。
【特許文献１】特開２００１−３０５４７６号公報
【発明の開示】
【発明が解決しようとする課題】
【０００５】
しかしながら、この様なシースルー型のＨＭＤを用いて、電子化されたサービスマニュアルの文書や図面等、主に線で形成された線画像を閲覧する場合、シースルーで観察される外界の自然画像の影響により、特に文字や線の背景の表示色が白色の場合は文字や線の視認性が低下するといった問題がある。
【０００６】
また、通常、サービスマニュアルの文書や図面等は、パーソナルコンピュータのアプリケーションソフトで作成され、背景の表示色が白色で文字や線の表示色は黒色で描かれている。この様な文書や図面等をシースルー型のＨＭＤに流用する場合、前述の様な視認性の低下を抑える為に、文字や線とその背景の明るさを反転させる煩雑な作業が必要となり、容易に流用することは困難なものであった。
【０００７】
本発明は、上記課題を鑑みてなされたもので、シースルー型のＨＭＤにおいて、文書や図面等、線で形成された線画像を、外界の自然画像に影響されることなく、いつも鮮明に視認することが可能なＨＭＤを提供することを目的とする。
【課題を解決するための手段】
【０００８】
上記目的は、下記の１乃至５のいずれか１項に記載の発明によって達成される。
【０００９】
１．頭部または顔面に取り付けられ、使用者が外界をシースルー可能な映像表示装置であって、
画像を表示するシースルー可能な表示手段と、
前記画像が文書および図面、またはそのいずれかで形成された線画像であるか否かを判別する画像判別手段と、
前記線画像の表示色を判別する色判別手段と、
前記線画像の文字および線とその背景の明るさを反転させる白黒反転手段と、
前記白黒反転手段の作動を制御する表示制御手段と、を有し、
前記画像判別手段が前記画像を線画像と判別し、且つ前記色判別手段が前記背景の表示色を白色と判別した場合、
前記表示制御手段は、前記背景の表示色を黒色に、且つ前記文字および前記線の表示色を白色に、それぞれの明るさを反転させるように前記白黒反転手段の作動を制御することを特徴とする映像表示装置。
【００１０】
２．前記画像判別手段が前記画像を線画像と判別し、且つ前記色判別手段が前記背景の表示色を白色と判別した場合、
前記表示制御手段は、前記背景の表示色を黒色に、且つ表示色が黒色である文字および線のみその表示色を白色に、それぞれの明るさを反転させるように前記白黒反転手段の作動を制御することを特徴とする前記１に記載の映像表示装置。
【００１１】
３．前記線画像の階調補正を行う階調補正手段を有し、
前記画像判別手段が前記画像を線画像と判別し、且つ前記色判別手段が前記背景の表示色を白色と判別した場合、
前記階調補正手段は、前記線画像の階調を補正し、
前記表示制御手段は、前記階調補正手段で補正された線画像の文字および線とその背景の明るさを反転させるように前記白黒反転手段の作動を制御することを特徴とする前記１または２に記載の映像表示装置。
【００１２】
４．前記線画像の鮮鋭化を行う鮮鋭化手段を有し、
前記画像判別手段が前記画像を線画像と判別し、且つ前記色判別手段が前記背景の表示色を白色と判別した場合、
前記鮮鋭化手段は、前記線画像の鮮鋭化を行い、
前記表示制御手段は、前記鮮鋭化手段で鮮鋭化された線画像の文字および線とその背景の明るさを反転させるように前記白黒反転手段の作動を制御することを特徴とする前記１乃至３のいずれか１項に記載の映像表示装置。
【００１３】
５．前記線画像の線幅補正を行う線幅補正手段を有し、
前記画像判別手段が前記画像を線画像と判別し、且つ前記色判別手段が前記背景の表示色を白色と判別した場合、
前記線幅補正手段は、前記線画像の線幅を補正し、
前記表示制御手段は、前記線幅補正手段で補正された線画像の文字および線とその背景の明るさを反転させるように前記白黒反転手段の作動を制御することを特徴とする前記１乃至４のいずれか１項に記載の映像表示装置。
【発明の効果】
【００１４】
本発明によれば、画像判別手段が表示手段に表示される画像を線画像と判別し、且つ色判別手段が線画像の背景の表示色を白色と判別した場合、表示制御手段は、背景の表示色を黒色に、且つ文字および線の表示色を白色に、それぞれの明るさを反転させるように白黒反転手段の作動を制御する様にした。したがって、例えば、映像表示装置を用いて、電子化されたサービスマニュアルの文書や図面等、主に線で形成された線画像を閲覧しながら機器の修理やメンテナンス作業を行う場合、黒色の背景に対して白抜きの文字や図面を閲覧することができる。これにより、シースルーで観察される外界の自然画像の影響による文字や線の視認性の低下を招くことなく、いつも鮮明な線画像を視認することができる。
【発明を実施するための最良の形態】
【００１５】
以下図面に基づいて、本発明に係る映像表示装置の実施の形態を説明する。尚、本発明を図示の実施の形態に基づいて説明するが、本発明は該実施の形態に限られない。
【００１６】
最初に、映像表示装置１の構成を図１を用いて説明する。図１は、本発明に係る映像表示装置１の全体構成の概要を示す図である。
【００１７】
映像表示装置１は、図１に示す様に、ＨＭＤ２０、制御ユニット３０等を有し、ＨＭＤ２０は、使用者の眼球の近傍に配置されて使用される頭部装着式映像表示装置である。
【００１８】
ＨＭＤ２０は、図１に示す様に、テンプル２１Ｒ，２１Ｌ、ブリッジ２２、鼻当て２３Ｒ，２３Ｌ、透明基板２４Ｒ，２４Ｌ、表示ユニット２５（ＬＣＤ表示部２６、接眼光学系２７）、及びイヤホン２９Ｒ，２９Ｌ等を有している。ＨＭＤ２０は、制御ユニット３０に設けられた後述の外部Ｉ／Ｆ３３から取り込まれたＤＶＤ、ビデオ等のコンテンツ映像や、例えばサービスマニュアルの文書や図面等の線画像を、表示ユニット２５に設けられたＬＣＤ表示部２６に表示させ、該ＬＣＤ表示部２６から得らた映像を、接眼光学系２７によって装着者の眼球に直接投影させることで、恰も該映像が空中に拡大投影されているかの様な虚像の観察を可能にしている。
【００１９】
テンプル２１Ｒ，２１Ｌは、可撓性を有する弾性材等により構成された長尺状の部材であり、装着者の耳や側頭部に掛止され、ＨＭＤ２０の装着者に対する頭部への保持及び装着位置の調整を行う為のものである。尚、テンプル２１Ｒ，２１Ｌは、回動部２１Ｒａ，２１Ｌａにおいて矢印Ｐ，Ｑ方向に回動可能に構成されており、ＨＭＤ２０を使用しない場合には、テンプル２１Ｒ，２１Ｌを矢印Ｐ，Ｑ方向に回動させて透明基板２４Ｒ，２４Ｌに沿わせることにより、コンパクト化することができる。
【００２０】
ブリッジ２２は、ＨＭＤ２０の装着者に対する顔面への保持を行う鼻当て２３Ｒ，２３Ｌを備え、透明基板２４Ｒ，２４Ｌの互いに対向する所定位置に架け渡された短尺の棒状部材であり、透明基板２４Ｒと透明基板２４Ｌとを一定の間隙を介した相対位置関係に保持するものである。
【００２１】
透明基板２４Ｒ，２４Ｌは、一方の眼球に対応した位置にＵ字型のスペース２４Ｒｓを形成する略平板状の透明体である。また、透明基板２４Ｒに囲まれて形成されるＵ字型のスペース２４Ｒｓには、接眼光学系２７が嵌め込まれている。
【００２２】
表示ユニット２５は、本発明に係る映像表示装置における表示手段として機能し、ＬＣＤ表示部２６、及び接眼光学系２７等を有し、制御ユニット３０に設けられた後述の外部Ｉ／Ｆ３３から取り込まれたＤＶＤ、ビデオ等のコンテンツ映像や、例えばサービスマニュアルの文書や図面等の線画像を表示する。
【００２３】
イヤホン２９Ｒ，２９Ｌは、装着者の耳に挿入され、装着者に音声を提供する。
【００２４】
ここで、表示ユニット２５の構成を、図２を用いて説明する。図２は、本発明に係る映像表示装置１における表示ユニット２５の左側面からの側断面図であり、主に表示ユニット２５の内部構成を示している。
【００２５】
図２に示す様に、表示ユニット２５は、筐体２６１、ＬＥＤ（Ｌｉｇｈｔ  Ｅｍｉｔｔｉｎｇ  Ｄｉｏｄｅ）２６２、コリメータレンズ２６３、ＬＣＤ（Ｌｉｑｕｉｄ  Ｃｒｙｓｔａｌ  Ｄｉｓｐｌａｙ）２６４からなるＬＣＤ表示部２６、及びプリズム２７１、ＨＯＥ（Ｈｏｌｏｇｒａｐｈｉｃ  Ｏｐｔｉｃａｌ  Ｅｌｅｍｅｎｔ）２７２からなる接眼光学系２７等から構成される。
【００２６】
ＬＣＤ表示部２６の筐体２６１の内部には、ＬＥＤ２６２、コリメータレンズ２６３、及びＬＣＤ２６４が内蔵された状態で、該筐体２６１が接眼光学系２７のプリズム２７１の上端部において上斜め前方（図２では右斜め上方向）に突出する態様で取り付けられている。
【００２７】
ＬＥＤ２６２は、所定波長色を含む白色発光ダイオード（ＬＥＤ）からなる点光源である。
【００２８】
コリメータレンズ２６３は、ＬＥＤ２６２の光をほぼ平行光にしてＬＣＤ２６４に投光するものである。
【００２９】
ＬＣＤ２６４は、制御ユニット３０に設けられた後述の外部Ｉ／Ｆ３３から取り込まれたＤＶＤ、ビデオ等のコンテンツ映像信号やサービスマニュアルの文書、図面等の線画像信号に基づき映像（画像）を生成するものであり、例えば透過型の液晶表示パネルである。
【００３０】
プリズム２７１は、ガラスや透明樹脂等からなる略板状の透明部材であり、ＬＣＤ２６４からの光を内部で複数回の反射を行わせるものである。プリズム２７１の上端部は、ＬＣＤ２６４からの光の大部分を内部に採光できるように、上方に向かってより肉厚となるように前面側（接眼面と反対側）が突き出るように楔形状に形成された肉厚部２７１ｂが形成されている。
【００３１】
また、プリズム２７１の下端部には、傾斜面２７１ａが形成されており、プリズム２７１は、透明基板２４Ｒに形成された傾斜面２４Ｒａに対しＨＯＥ２７２を介して接合（例えば接着）されている。また、プリズム２７１の表裏面は、透明基板２４Ｒの表裏面に対して面一とされている。これにより、プリズム２７１は、透明基板２４Ｒと一枚の板状に一体化されている。
【００３２】
ＨＯＥ２７２は、光学的に軸非対称な所謂自由曲面で構成されて正のパワーを有する体積位相型のホログラム光学素子であり、プリズム２７１の下端部において所定の傾斜角を有して支持されている。ＨＯＥ２７２は、プリズム２７１により導光された光が照射されることにより、光の干渉現象を用いてホログラム映像を眼球Ｅに提供する。
【００３３】
以上のような構成を有する表示ユニット２５においては、ＬＥＤ２６２から射出された光は、コリメータレンズ２６３を通してＬＣＤ２６４を照明し、この照明によりＬＣＤ２６４で生成された像光は、プリズム２７１内で複数回の全反射を行った後、ＨＯＥ２７２により回折し虚像として使用者の眼球Ｅに導かれる。
【００３４】
さらに、プリズム２７１は、前方から入射する光を使用者の眼球Ｅに導くようになっている。これにより、使用者は、外界（前方の被写体）をシースルー可能となり、後述の外部Ｉ／Ｆ３３から取り込まれたＤＶＤ、ビデオ等のコンテンツ映像やサービスマニュアルの文書、図面等の線画像を外界（前方の被写体）と重畳して視認することとなる。
【００３５】
尚、透明基板２４Ｒに形成された傾斜面２４Ｒａは、プリズム２７１の傾斜面２７１ａでの光の屈折をキャンセル（相殺）する、すなわち、傾斜面２７１ａにおけるプリズム効果により矢印Ｗ側からの光が上方に屈曲するのを防止する為、装着者は、プリズム２７１、透明基板２４Ｒ、及びＨＯＥ２７２を通して、外界光を歪むことなく観察することができる。
【００３６】
図１に戻って、制御ユニット３０は、マイクロコンピュータからなり、電源スイッチ３１１、操作スイッチ３１２等を有し、これら各種操作スイッチからの信号を受けて、表示動作や画像信号処理動作を統括的に制御するものである。尚、本実施形態においては、制御ユニット３０をＨＭＤ２０と分離して設けたが、ＨＭＤ２０に内蔵しても良いし、図示しない外部のコンピュータ等にその機能を内蔵しても良い。
【００３７】
次に、映像表示装置１の電気回路構成について図３を用いて説明する。図３は、本発明に係わる映像表示装置１の電気回路のブロック構成図である。尚、図３では、図１乃至図２に示した部材と同じ部材には同一の番号を付与した。
【００３８】
映像表示装置１の要部電気回路ブロックは、表示ユニット２５、及び制御ユニット３０等から構成される。
【００３９】
表示ユニット２５は、ＬＣＤ表示部２６、接眼光学系２７から構成され、各部位で行われる動作については前述したので説明は省略する。
【００４０】
制御部３５は、図示しない各制御プログラム等を記憶するＲＯＭ（Ｒｅａｄ  Ｏｎｌｙ  Ｍｅｍｏｒｙ）、演算処理や制御処理等のデータを一時的に格納するＲＡＭ（Ｒａｎｄｏｍ  Ａｃｃｅｓｓ  Ｍｅｍｏｒｙ）、及び制御プログラム等をＲＯＭから読み出して実行するＣＰＵ（中央演算処理装置）等からなり、前述の各操作スイッチからの信号を受けて、表示動作や画像信号処理動作を統括的に制御するものである。
【００４１】
制御部３５の要部は、図３に示す様に、画像判別部３５１、表示色判別部３５２、モノクロ化処理部３５３、画像補正部３５４、白黒反転部３５５、及び表示制御部３５６等から構成される。
【００４２】
画像判別部３５１は、本発明に係る映像表示装置における画像判別手段として機能し、後述の外部Ｉ／Ｆ３３から取り込まれ表示ユニット２５に表示される画像が、通常のＤＶＤやビデオ等のコンテンツ映像、あるいは、例えばサービスマニュアルの文書や図面等、主に線で形成された線画像のいずれであるかを周知の画像認識処理にて判別する。
【００４３】
表示色判別部３５２は、本発明に係る映像表示装置における色判別手段として機能し、線画像の文字や線、及びその背景の表示色を判別する。また、線画像がモノクロ画像、あるいは、カラー画像のいずれであるかを判別する。
【００４４】
モノクロ化処理部３５３は、カラー画像をモノクロ画像に変換する。
【００４５】
画像補正部３５４は、入力された線画像のコントラストが低い場合、線画像の階調特性（γ特性）を補正し、コントラストを高める。また、エッジ強調処理等の鮮鋭化処理により文字や線の鮮鋭度を高める。さらに、文字や線の幅が細い場合は、太線化処理等により線幅を太くする。この様に画像補正部３５４は、本発明に係る映像表示装置における階調補正手段、鮮鋭化手段、及び線幅補正手段として機能する
白黒反転部３５５は、本発明に係る映像表示装置における白黒反転手段として機能し、後述の表示制御部３５６の制御により、線画像の文字および線とその背景の明るさを反転させる。
【００４６】
表示制御部３５６は、本発明に係る映像表示装置における表示制御手段として機能し、画像判別部３５１、及び表示色判別部３５２の判別結果に基づいて、白黒反転部３５５の作動を制御する。尚、制御部３５の各部位で行われる表示制御動作の詳細は後述する。
【００４７】
次に、画像メモリ３６は、制御ユニット３０中の制御部３５によりデジタル映像信号に対する各種処理を行う為の作業領域として用いられる一時メモリである。
【００４８】
ＶＲＡＭ３７は、ＬＣＤ表示部２６中のＬＣＤ２６４の画素数に対応した映像信号の記録容量を有し、ＬＣＤ２６４に再生表示される映像を構成する画像信号のバッファメモリである。
【００４９】
外部Ｉ／Ｆ３３は、図示しない外部機器との間で交信を行い、映像や各種制御信号等の入出力を行う。
【００５０】
この様な構成の映像表示装置１において、本発明は、外部Ｉ／Ｆ３３から取り込まれ表示ユニット２５に表示される映像が、例えばサービスマニュアルの文書や図面等、主に線で形成された線画像である場合、文字や線とその背景の明るさを、背景の表示色に基づいて反転させる。これにより、シースルーで観察される外界の自然画像の影響による文字や線の視認性の低下を招くことなく、いつも鮮明な線画像を視認することを可能にするものである。
【００５１】
ここで、映像表示装置１で行われる表示制御動作の詳細を図４を用いて説明する。図４は、表示制御動作の流れを示すフローチャートである。
【００５２】
最初に、画像判別部３５１は、外部Ｉ／Ｆ３３から取り込まれた画像が線画像か否かを判別する。線画像と判別された場合（ステップＳ１；Ｙｅｓ）、表示色判別部３５２は、線画像の文字や線の背景の表示色が白色か否かを判別し、白色と判別した場合（ステップＳ２；Ｙｅｓ）、続いて線画像がモノクロ画像か否かを判別する。モノクロ画像と判別された場合（ステップＳ３；Ｙｅｓ）、画像補正部３５４は、線画像のコントラストを検出し、コントラストが低い場合、線画像の階調特性（γ特性）を補正し、コントラストを高め（ステップＳ５）。また、エッジ強調処理等の鮮鋭化処理により文字や線の鮮鋭度を高める（ステップＳ６）。次に、表示制御部３５６は、白黒反転部３５５の作動を制御して、線画像の背景の表示色を黒色に、また、文字や線の表示色を白色に、それぞれの明るさを反転させる（ステップＳ７）。
【００５３】
一方、ステップＳ３において、線画像がカラー画像と判別された場合（ステップＳ３；Ｎｏ）は、モノクロ化処理部３５３は、カラー画像をモノクロ画像に変換する（ステップＳ４）。モノクロ化された線画像は、前述のステップＳ５乃至Ｓ７と同様の処理が施される。
【００５４】
この様にして白黒反転処理された線画像を図５に示す。図５（ａ）は、処理前の線画像を示す模式図、図５（ｂ）は、処理後の線画像の一例を示す模式図である。図５（ａ）に示す様に、処理前では、文字や線が黒色であることから、図示しないシースルーの自然画像の影響を受け易く、文字や線の視認性が低下する。一方、図５（ｂ）に示す様に、処理後では、黒色の背景に対して白抜きの文字や線となることから、自然画像の影響を受け難くなり、文字や線の視認性を高めることができる。
【００５５】
尚、図４中、ステップＳ５、ステップＳ６で、階調補正処理や鮮鋭化処理により、線画像のコントラストや鮮鋭度を高める様にしたが、さらに、図６に示す様に、文字や線の幅を太くする太線化処理を行うことにより、視認性を高める様にしても良い。図６において、（ａ）は太線化処理前の線画像を示す模式図、図５（ｂ）は、処理後の線画像の一例を示す模式図である。
【００５６】
また、本実施形態においては、白黒反転処理を行う場合、文字や線の表示色に係らず全ての文字や線の表示色を白色にする様にしたが、表示色が黒色である文字および線のみその表示色を白色にするようにしても良い。文書等において、例えば、文字が赤色で表示されている部分は、通常、重要な部分である。したがって、この様な場合は、表示色が黒色以外の文字は、白黒反転処理を行わずその表示色を再現し、表示色が黒色の文字のみに白黒反転処理を行う様にすることにより、文書の重要な部分を認識することができる。
【００５７】
この様に、本発明に係る映像表示装置１においては、画像判別部３５１が表示ユニット２５に表示される画像を線画像と判別し、且つ表示色判別部３５２が線画像の背景の表示色を白色と判別した場合、表示制御部３５６は、背景の表示色を黒色に、且つ文字および線の表示色を白色に、それぞれの明るさを反転させるように白黒反転部３５５の作動を制御する様にした。したがって、例えば、映像表示装置１を用いて、電子化されたサービスマニュアルの文書や図面等、主に線で形成された線画像を閲覧しながら機器の修理やメンテナンス作業を行う場合、黒色の背景に対して白抜きの文字や図面を閲覧することができる。これにより、シースルーで観察される外界の自然画像の影響による文字や線の視認性の低下を招くことなく、いつも鮮明な線画像を視認することができる。
【００５８】
また、白黒反転処理を行う際には、画像補正部３５４により、線画像に階調補正、鮮鋭化処理、太線化処理等を施すことにより、さらに鮮明な線画像を視認することができる。
【００５９】
また、線画像がカラー画像の場合、モノクロ画像に変換した後に、画像補正処理、白黒反転処理を行う様にしているので、画像補正部３５４、白黒反転部３５６で行われる処理が簡略化される。
【図面の簡単な説明】
【００６０】
【図１】本発明に係る映像表示装置の全体構成図である。
【図２】本発明に係る映像表示装置における表示ユニットの側断面図である。
【図３】本発明に係る映像表示装置の電気回路ブロック構成図である。
【図４】表示制御動作の流れを示すフローチャートである。
【図５】本発明に係る映像表示装置の表示ユニットにおける表示画像の一例を示す模式図である。
【図６】本発明に係る映像表示装置の表示ユニットにおける表示画像の別例を示す模式図である。
【符号の説明】
【００６１】
１  映像表示装置
２０  ＨＭＤ
２１Ｒ，２１Ｌ  テンプル
２２  ブリッジ
２３Ｒ，２３Ｌ  鼻当て
２４Ｒ，２４Ｌ  透明基板
２５  表示ユニット
２６  ＬＣＤ表示部
２６１  筐体
２６２  ＬＥＤ
２６３  コリメータレンズ
２６４  ＬＣＤ
２７  接眼光学系
２７１  プリズム
２７２  ＨＯＥ
２９Ｒ，２９Ｌ  イヤホン
３０  制御ユニット
３１  操作部
３１１  電源スイッチ
３１２  操作スイッチ
３２  記録部
３３  外部Ｉ／Ｆ
３５  制御部
３５１  画像判別部
３５２  表示色判別部
３５３  モノクロ化処理部
３５４  画像補正部
３５５  白黒反転部
３５６  表示制御部
３６  画像メモリ
３７  ＶＲＡＭ
３９  ケーブル
Ｅ  目
【図１】
2008116704.tif 000003
【図２】
2008116704.tif 000004
【図３】
2008116704.tif 000005
【図４】
2008116704.tif 000006
【図５】
2008116704.tif 000007
【図６】
2008116704.tif 000008